【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
無線通信を行うことが可能な複数の機器を含む無線システムであって、当該無線システムは第１の機器と第２の機器とを含み、
前記第１の機器は、
前記第２の機器と接続を確立する接続確立手段と、
ユーザによって操作される操作手段と、
前記操作手段に対して行われた複数の操作を蓄積する蓄積手段と、
前記第２の機器と接続された状態において、前記蓄積手段によって蓄積された複数の操作を示す操作結果情報を前記第２の機器に無線で送信する送信手段とを備える、無線システム。
【請求項２】
前記蓄積手段は、第１のタイミングで行われた操作と当該第１のタイミングとは異なる第２のタイミングで行われた操作とを含む複数の操作を蓄積する、請求項１に記載の無線システム。
【請求項３】
前記第１の機器および前記第２の機器の少なくとも何れか一方は、前記第１の機器と前記第２の機器との間の通信の時間間隔を設定する間隔設定手段を備え、
前記第１の機器と前記第２の機器とは、互いに接続された状態において前記間隔設定手段によって設定された時間間隔で無線通信を行い、
前記第１の機器の送信手段は、前記間隔設定手段によって設定された時間間隔で行われる通信において前記操作結果情報を前記第２の機器に送信する、請求項１又は２に記載の無線システム。
【請求項４】
前記間隔設定手段は、前記第１の機器と前記第２の機器との間の接続が確立される際に前記時間間隔を設定する、請求項３に記載の無線システム。
【請求項５】
前記間隔設定手段は、予め定められた所定の範囲で前記時間間隔を設定する、請求項３又は４に記載の無線システム。
【請求項６】
前記間隔設定手段は、前記時間間隔を第１の時間間隔から当該第１の時間間隔とは異なる第２の時間間隔に変更する、請求項３から５の何れかに記載の無線システム。
【請求項７】
前記間隔設定手段は、前記第１の機器と前記第２の機器とが接続された状態において、前記時間間隔を変更する、請求項６に記載の無線システム。
【請求項８】
前記第１の機器および前記第２の機器の少なくとも何れか一方は、所定のアプリケーションを実行するアプリケーション実行手段を備え、
前記間隔設定手段は、前記アプリケーション実行手段によって実行されるアプリケーションの種類、及び／又は、アプリケーションの実行状況に応じて、前記時間間隔を設定する、請求項３に記載の無線システム。
【請求項９】
前記間隔設定手段は、前記アプリケーション実行手段によって実行されるアプリケーションの種類、及び／又は、アプリケーションの実行状況に応じて、前記時間間隔を変更する、請求項８に記載の無線システム。
【請求項１０】
前記所定のアプリケーションは、複数の部分を有し、
前記間隔設定手段は、実行されるアプリケーションの部分に応じて、前記時間間隔を変更する、請求項９に記載の無線システム。
【請求項１１】
前記間隔設定手段は、前記所定のアプリケーションが実行されている状態から休止状態に移行する場合、前記時間間隔を変更する、請求項９に記載の無線システム。
【請求項１２】
前記間隔設定手段は、前記第１の機器の前記操作手段に対する操作の頻度に応じて、前記時間間隔を設定する、請求項３に記載の無線システム。
【請求項１３】
前記第２の機器も操作手段を備え、
前記間隔設定手段は、前記第１の機器の操作手段および前記第２の機器の操作手段のうちの少なくとも何れか一方に対する操作の頻度に応じて、前記時間間隔を設定する、請求項３に記載の無線システム。
【請求項１４】
前記第１の機器には機能の異なる複数の種類があり、
前記間隔設定手段は、前記第１の機器の種類に応じて、前記時間間隔を設定する、請求項３に記載の無線システム。
【請求項１５】
前記第２の機器には機能の異なる複数の種類があり、
前記間隔設定手段は、前記第２の機器の種類に応じて、前記時間間隔を設定する、請求項３又は１４に記載の無線システム。
【請求項１６】
前記第１の機器および前記第２の機器の少なくとも何れか一方は、所定のアプリケーションを実行するアプリケーション実行手段を備え、
前記所定のアプリケーションは複数の機器を用いて実行され、
前記間隔設定手段は、前記所定のアプリケーションが行われる機器の数に応じて、前記時間間隔を設定する、請求項３に記載の無線システム。
【請求項１７】
前記無線システムは、前記第１の機器および第２の機器とは異なる第３の機器を含み、
前記第２の機器は、前記第３の機器と通信を行い、
前記間隔設定手段は、前記第２の機器と前記第３の機器との間の通信の状況に応じて、前記第１の機器と第２の機器との間の通信における前記時間間隔を設定する、請求項３に記載の無線システム。
【請求項１８】
前記第２の機器をマスターとし、前記第１の機器をスレーブとして、前記第１の機器と前記第２の機器との接続が確立され、
マスターとして動作する前記第２の機器が前記間隔設定手段を備える、請求項３から１７の何れかに記載の無線システム。
【請求項１９】
前記第１の機器および前記第２の機器の少なくとも何れか一方は、前記第１の機器と前記第２の機器との接続における許容期間を設定する許容期間設定手段を備え、
前記第２の機器は、
前記第１の機器と接続された状態において、所定の時間間隔で所定のパケットを前記第１の機器に送信し、
前記第１の機器は、
前記第２の機器と接続された状態において、前記許容期間に基づいて、前記第２の機器からの前記所定のパケットに対する応答を前記第２の機器に送信するか否かを判定する、請求項１から１８の何れかに記載の無線システム。
【請求項２０】
前記第１の機器は、前記操作結果情報を、前記所定のパケットに対する応答に含めて送信する、請求項１９に記載の無線システム。
【請求項２１】
前記第１の機器は、
前記操作手段に対する操作の有無に応じて、前記操作結果情報を前記応答に含めて前記第２の機器に送信するか否かを判定し、
前記操作手段に対する操作があった場合、前記操作結果情報を含む前記応答を前記第２の機器に送信すると判定し、
前記操作手段に対する操作がなかった場合であっても前記応答を送信しない期間と前記許容期間とに基づいて、前記応答を前記第２の機器に送信すると判定する、請求項２０に記載の無線システム。
【請求項２２】
前記第１の機器および前記第２の機器の少なくとも何れか一方は、所定のアプリケーションを実行するアプリケーション実行手段を備え、
前記許容期間設定手段は、前記アプリケーション実行手段によって実行されるアプリケーションの種類、及び／又は、アプリケーションの実行状況に応じて、前記許容期間を設定する、請求項１９から２１の何れかに記載の無線システム。
【請求項２３】
前記第１の機器および前記第２の機器の少なくとも何れか一方は、前記第１の機器と前記第２の機器との接続における接続維持期間を設定する接続維持期間設定手段を備え、
前記第２の機器は、
前記第１の機器と接続された状態において、所定の時間間隔で所定のパケットを前記第１の機器に送信し、
前記第１の機器と接続された状態において、前記第１の機器から前記所定のパケットに対する応答が無い期間と前記接続維持期間とに基づいて、前記第１の機器との接続を切断するかを判定する、請求項１から２２の何れかに記載の無線システム。
【請求項２４】
第３のタイミングで前記第１の機器と前記第２の機器との間の通信が行われてから前記間隔設定手段によって設定された時間間隔が到来した第４のタイミングで前記第１の機器と前記第２の機器の間の通信が行われ、
前記蓄積手段は、前記第３のタイミングから前記第４のタイミングまでの期間において前記操作手段に対して行われた複数の操作を蓄積し、
前記第１の機器の送信手段は、前記第４のタイミングで行われる通信において、前記蓄積手段によって蓄積された複数の操作を示す操作結果情報を前記第２の機器に送信する、請求項３から２３の何れかに記載の無線システム。
【請求項２５】
前記第２の機器は、前記第１の機器の前記送信手段によって送信された操作結果情報に基づいて所定の処理を実行する、請求項１から２４の何れかに記載の無線システム。
【請求項２６】
前記第１の機器は、ユーザに対する出力を行う出力手段を更に備え、
前記第２の機器は、前記所定の処理の実行結果を前記第１の機器に送信し、
前記第１の機器は、前記所定の処理の実行結果を受信し、当該実行結果に応じた出力を前記出力手段を用いて行う、請求項２５に記載の無線システム。
【請求項２７】
前記第２の機器は、ユーザに対する出力を行なう出力手段を備え、当該出力手段を用いて前記所定の処理の実行結果に応じた出力を行う、請求項２５又は２６に記載の無線システム。
【請求項２８】
前記第１の機器と前記第２の機器とは、互いに接続された状態において所定の時間間隔で無線通信を行い、
前記第２の機器は、前記所定の時間間隔で行われる通信において、前記所定の処理の実行結果を前記第１の機器に送信する、請求項２５から２７の何れかに記載の無線システム。
【請求項２９】
前記第２の機器は、第１演出情報を前記第１の機器に送信し、
前記第１の機器は、
前記第１演出情報を前記第２の機器から受信する受信手段と、
前記受信手段によって受信された前記第１演出情報に基づいて第１演出を実行する第１演出実行手段とを備える、請求項１から２８の何れかに記載の無線システム。
【請求項３０】
前記蓄積手段は、前記第１演出に応じて行われた前記複数の操作を蓄積する、請求項２９に記載の無線システム。
【請求項３１】
前記第２の機器は、所定の時間間隔で前記第１の機器に送信する接続を維持するための所定のパケットに、前記第１演出情報を含めて送信し、
前記第１の機器は、前記所定のパケットに対する応答に前記操作結果情報を含めて当該応答を前記第２の機器に送信する、請求項２９又は３０に記載の無線システム。
【請求項３２】
前記第２の機器は、
前記操作結果情報に基づいて、前記第１演出に応じた操作が前記第１機器において行われたか否かを判定する操作判定手段と、
前記操作判定手段による判定結果に基づいて所定の処理を行う処理手段とを備える、請求項２９から３１の何れかに記載の無線システム。
【請求項３３】
前記第１の機器と前記第２の機器とは、互いに接続された状態において所定の時間間隔で無線通信を行い、
前記第２の機器は、前記所定の時間間隔で行われる通信において前記第１演出情報を前記第１の機器に送信し、
前記第１の機器は、前記第１演出情報に基づく前記第１演出を、前記所定の時間間隔を跨いで実行する、請求項２９から３２の何れかに記載の無線システム。
【請求項３４】
前記第１演出情報には優先度が設定され、
前記第１の機器は、優先度の高い前記第１演出情報に基づく演出を優先度の低い前記第１演出情報に基づく演出よりも優先して実行する、請求項２９から３３の何れかに記載の無線システム。
【請求項３５】
前記第２の機器は、操作条件と第２演出情報とを前記第１の機器に送信し、
前記第１の機器は、
前記操作条件と前記第２演出情報とを受信する受信手段と、
前記操作条件を満たす操作が前記操作手段を用いて行われた場合、前記第２演出情報に基づいて第２演出を実行する第２演出実行手段とを備える、請求項１から３４の何れかに記載の無線システム。
【請求項３６】
前記第１の機器と前記第２の機器とは、互いに接続された状態において所定の時間間隔で無線通信を行い、
前記第２の機器は、前記所定の時間間隔で行われる通信において前記操作条件を前記第１の機器に送信し、
前記操作条件は、前記所定の時間間隔を跨いで満たされる条件である、請求項３５に記載の無線システム。
【請求項３７】
前記第２演出情報には優先度が設定され、
前記第１の機器は、優先度の高い前記第２演出情報に基づく演出を優先度の低い前記第２演出情報に基づく演出よりも優先して実行する、請求項３５又は３６に記載の無線システム。
【請求項３８】
前記第１の機器は、振動、光、音の少なくとも何れか１つを用いて前記演出を行う、請求項２９から３７の何れかに記載の無線システム。
【請求項３９】
前記操作手段は、操作ボタンであり、
前記蓄積手段は、前記操作ボタンに対して行われた複数回の操作を蓄積し、
前記送信手段は、前記操作ボタンに対して行われた複数回の操作を示す操作結果情報を前記第２の機器に送信する、請求項１から３８の何れかに記載の無線システム。
【請求項４０】
前記操作手段は、タッチパネルであり、
前記蓄積手段は、前記タッチパネルに対して行われた第１の操作と、当該第１の操作とは別のタイミングで行われた第２の操作とを蓄積し、
前記送信手段は、前記タッチパネルに対して行われた前記第１の操作及び第２の操作を示す操作結果情報を前記第２の機器に送信する、請求項１から３８の何れかに記載の無線システム。
【請求項４１】
無線通信を行うことが可能な無線機器であって、
他の機器と接続を確立する接続確立手段と、
ユーザによって操作される操作手段と、
前記操作手段に対して行われた複数の操作を蓄積する蓄積手段と、
前記他の機器と接続された状態において、前記蓄積手段によって蓄積された複数の操作を示す操作結果情報を前記他の機器に無線で送信する送信手段とを備える、無線機器。
【請求項４２】
無線通信を行うことが可能な無線機器のコンピュータによって実行されるプログラムであって、前記コンピュータを、
他の機器と接続を確立する接続確立手段と、
ユーザによって操作される操作手段に対して行われた複数の操作を蓄積する蓄積手段と、
前記他の機器と接続された状態において、前記蓄積手段によって蓄積された複数の操作を示す操作結果情報を前記他の機器に無線で送信する送信手段として機能させる、プログラム。
【請求項４３】
無線通信を行うことが可能な複数の機器を含む無線システムにおいて実行される通信方法であって、当該無線システムは第１の機器と第２の機器とを含み、
前記第１の機器に、
前記第２の機器と接続を確立する接続確立ステップと、
ユーザによって操作される操作手段に対して行われた複数の操作を蓄積する蓄積ステップと、
前記第２の機器と接続された状態において、前記蓄積ステップで蓄積された複数の操作を示す操作結果情報を前記第２の機器に無線で送信する送信ステップとを実行させる、通信方法。
【請求項４４】
無線通信を行うことが可能な無線機器であって、
ユーザによって操作される操作手段と、
前記操作手段に対して行われた複数の操作を蓄積する蓄積手段と、
前記蓄積手段によって蓄積された複数の操作を示す操作結果情報を前記他の機器に無線で送信する送信手段とを備える、無線機器。
【請求項４５】
無線通信を行うことが可能な無線機器のコンピュータにおいて実行されるプログラムであって、前記コンピュータを、
ユーザによって操作される操作手段に対して行われた複数の操作を蓄積する蓄積手段と、
前記蓄積手段によって蓄積された複数の操作を示す操作結果情報を前記他の機器に無線で送信する送信手段として機能させる、プログラム。
【請求項４６】
無線通信を行うことが可能な無線機器において行われる通信方法であって、
ユーザによって操作される操作手段に対して行われた複数の操作を蓄積する蓄積ステップと、
前記蓄積ステップにおいて蓄積された複数の操作を示す操作結果情報を前記他の機器に無線で送信する送信ステップとを含む、通信方法。